(57)【要約】【課題】  情報量を多く記載でき、しかも扱い易さと低コスト可を可能にするブックタイプの圧着往復はがきを提供する。【解決手段】  縦の折線（１）（２）を境として横に三枚綴りとなったＡ紙と、同じく縦の折線（１０）を境として横に二枚綴りとなったＢ紙を所定に貼り合わせて構成されるブックタイプの圧着往復はがきであり、Ａ紙の表面の右葉（５）とＢ紙の表面の左葉（１１）を完全接着して返信はがきにするとともに、Ａ紙の裏面の中央葉（７）と右葉（８）との折線（１）を谷折りしてそれぞれの端（１６）を完全接着し、完全接着以外の部分の中央葉（７）と右葉（８）を擬似接着する一方、Ａ紙の表面の中央葉（４）とＢ紙の表面の右葉（１２）を擬似接着して往復はがきとし、谷折りした折線（１）の部分を分離する他、Ａ紙とＢ紙の擬似接着面を剥がすと、返信はがきに連なってＡ紙とＢ紙が往信はがきのあて名欄を含む個人情報記載欄である三葉のブックとなることを特徴とするブックタイプの圧着往復はがき。【選択図】  図５
2008179100.tif 000002
【特許請求の範囲】
【請求項１】
縦の折線（１）（２）を境として横に三枚綴りとなったＡ紙と、同じく縦の折線（１０）を境として横に二枚綴りとなったＢ紙を所定に貼り合わせて構成されるブックタイプの圧着往復はがきであり、Ａ紙の表面の右葉（５）とＢ紙の表面の左葉（１１）を完全接着して返信はがきにするとともに、Ａ紙の裏面の中央葉（７）と右葉（８）との折線（１）を谷折りしてそれぞれの端（１６）を完全接着し、完全接着以外の部分の中央葉（７）と右葉（８）を擬似接着する一方、Ａ紙の表面の中央葉（４）とＢ紙の表面の右葉（１２）を擬似接着して往復はがきとし、谷折りした折線（１）の部分を分離する他、Ａ紙とＢ紙の擬似接着面を剥がすと、返信はがきに連なってＡ紙とＢ紙が往信はがきのあて名欄を含む個人情報記載欄である三葉のブックとなることを特徴とするブックタイプの圧着往復はがき。
【請求項２】
完全接着として、強粘着性エマルジョン糊やホットメルト糊による接着、クローズテープ、擬似接着テープの反転接着、インキ・トナーで印刷後にこのインキ・トナーを加圧と加熱することによってブロッキングして接着する方法のいずれかが採用される請求項１のブックタイプの圧着往復はがき。
【請求項３】
Ａ紙の折線（１）を境とする分離の態様として、Ａ紙の裏面の中央葉（７）と右葉（８）とが予め切断線（２２）によって切断してある請求項１又は２のブックタイプの圧着往復はがき。
【請求項４】
Ａ紙の折線（１）を境とする分離の態様として、Ｂ紙の表面の右葉（１２）の端とほぼ同じ位置でＡ紙の裏面の中央葉（７）と右葉（８）の両方にミシン目（２３）が入れてある請求項１又は２のブックタイプの圧着往復はがき。
【請求項５】
Ａ紙の折線（１）を境とする分離の態様として、折線（１）からＡ紙の表面の左葉（３）にかなり入った部分の左葉（３）のみにミシン目（２４）が入れてある請求項１又は２のブックタイプの圧着往復はがき。
【請求項６】
Ａ紙の折線（２）又はＢ紙の折線（１０）をミシン目とした請求項１〜５いずれかのブックタイプの圧着往復はがき。
【請求項７】
返信はがきの合わせ面となるＡ紙の表面の右葉（５）とＢ紙の表面の左葉（１１）に光の透過を防ぐ印刷を施した請求項１〜６いずれかのブックタイプの圧着往復はがき。
【請求項８】
返信はがきのあて名欄となるＡ紙の裏面の左葉（６）に返信はがきの記入欄となるＢ紙の裏面の右葉（１４）に貼り付ける隠蔽シール（１９）を型抜きしておくとともに、隠蔽シール（１９）に対向するＢ紙の表面の左葉（１１）に隠蔽シール（１９）が剥がせるように隠蔽シール（１９）の大きさに対応して剥離ニス（２１）を塗っておき、Ａ紙の表面の右葉（５）とＢ紙の表面の左葉（１１）とに特殊変性アクリル樹脂からなる接着剤を塗布して接着した請求項１〜７いずれかのブックタイプの圧着往復はがき。
【請求項９】
往信はがきのあて名欄であるＢ紙の裏面の左葉（１３）に返信はがきの記入欄となるＢ紙の裏面の右葉（１４）に貼り付ける隠蔽シール（１９）を型抜きしておくとともに、隠蔽シール（１９）に対向するＡ紙の表面の中央葉（４）に隠蔽シール（１９）が剥がせるように隠蔽シール（１９）の大きさに対応して剥離ニス（２１）を塗っておき、Ａ紙の表面の右葉（５）と中央葉（４）及びＢ紙の表面の左葉（１１）と右葉（１２）にかけて特殊変性アクリル樹脂からなる接着剤を塗布して接着した請求項１〜７いずれかのブックタイプの圧着往復はがき。
【発明の詳細な説明】
【技術分野】
【０００１】
本発明は、ブックタイプの圧着往復はがきに関するものである。
【背景技術】
【０００２】
近年、多くの情報を載せる一方で秘匿を要する情報を隠すために、複数の紙葉を完全又は擬似接着した往復はがきが出現している。下記特許文献１にそれが示されるが、この先行例のものは、横に三枚綴りとなったＡ紙と、同じく横に二枚綴りとなったＢ紙を郵便規則に則って返信はがきとなる部分を完全接着し、情報記載部分となる残りのＡ紙の二葉及びＡ紙とＢ紙の一面をそれぞれ擬似接着している。
【０００３】
したがって、この先行例のものでは、往復はがきを受け取った者が擬似接着部分を剥がして中の情報を読み取るとき、Ａ紙では葉が二枚綴りの展開したものになるため、スペースを多く要する。このため、これを拡げるテーブル等からはみ出たり、この下にあるものを隠したりする。また、二面の擬似接着面を全面貼りとしているため、接着剤を多く要したり、加工（製本）に手間がかかったりしている。
【０００４】
そこで、下記特許文献２には、返信はがきに連なった部分が三葉となっているブックタイプの往復はがきが提案されている。しかし、この先行例のものは、一枚の紙を八葉に折っているため、折り数が多く、加工が厄介という問題がある。また、この構造が郵便規則に適合しているかという問題もある。
【特許文献１】特開平１１−３２１１５９号公報
【特許文献２】特開２０００−１５８８５６号公報
【発明の開示】
【発明が解決しようとする課題】
【０００５】
本発明は、このような課題を解決するものであり、往復はがきを開いたときに返信はがきに連続する部分がブック（本）となるようにして扱い易さと低コスト化を図るとともに、併せて多くの情報量が掲載できるようにしたものである。
【課題を解決するための手段】
【０００６】
以上の課題の下、本発明は、請求項１に記載した、縦の折線（１）（２）を境として横に三枚綴りとなったＡ紙と、同じく縦の折線（１０）を境として横に二枚綴りとなったＢ紙を所定に貼り合わせて構成されるブックタイプの圧着往復はがきであり、Ａ紙の表面の右葉（５）とＢ紙の表面の左葉（１１）を完全接着して返信はがきにするとともに、Ａ紙の裏面の中央葉（７）と右葉（８）との折線（１）を谷折りしてそれぞれの端（１６）を完全接着し、完全接着以外の部分の中央葉（７）と右葉（８）を擬似接着する一方、Ａ紙の表面の中央葉（４）とＢ紙の表面の右葉（１２）を擬似接着して往復はがきとし、谷折りした折線（１）の部分を分離する他、Ａ紙とＢ紙の擬似接着面を剥がすと、返信はがきに連なってＡ紙とＢ紙が往信はがきのあて名欄を含む個人情報記載欄である三葉のブックとなることを特徴とするブックタイプの圧着往復はがき。を提供したものである。
【０００７】
そして、完全接着の態様として、請求項２に記載した、強粘着性エマルジョン糊やホットメルト糊による接着、クローズテープ、擬似接着テープの反転接着、インキ・トナーで印刷後にこのインキ・トナーを加圧と加熱することによってブロッキングして接着する方法のいずれかが採用される手段を提供する。さらに、Ａ紙の折線（１）を境とする分離の態様として、請求項３の、Ａ紙の折線（１）を境とする分離の態様として、Ａ紙の裏面の中央葉（７）と右葉（８）とが予め切断線（２２）によって切断してある手段、請求項４の、Ｂ紙の表面の右葉（１２）の端とほぼ同じ位置でＡ紙の裏面の中央葉（７）と右葉（８）の両方にミシン目（２３）が入れてある手段、請求項５の、折線（１）からＡ紙の表面の左葉（３）にかなり入った部分の左葉（３）のみにミシン目（２４）が入れてある手段を提供する。さらに、本発明は、以上の圧着往復はがきにおいて、請求項６に記載した、Ａ紙の折線２又はＢ紙の折線１０をミシン目とした手段、請求項７に記載した、返信はがきの合わせ面となるＡ紙の表面の右葉（５）とＢ紙の表面の左葉（１１）に光の透過を防ぐ印刷を施した手段を提供する。
【０００８】
この他、本発明は、以上の圧着往復はがきにおいて、請求項８に記載した、  返信はがきのあて名欄となるＡ紙の裏面の左葉（６）に返信はがきの記入欄となるＢ紙の裏面の右葉（１４）に貼り付ける隠蔽シール（１９）を型抜きしておくとともに、隠蔽シール（１９）に対向するＢ紙の表面の左葉（１１）に隠蔽シール（１９）が剥がせるように隠蔽シール（１９）の大きさに対応して剥離ニス（２１）を塗っておき、Ａ紙の表面の右葉（５）とＢ紙の表面の左葉（１１）とに特殊変性アクリル樹脂からなる接着剤を塗布して接着した手段、請求項９に記載した、往信はがきのあて名欄であるＢ紙の裏面の左葉（１３）に返信はがきの記入欄となるＢ紙の裏面の右葉（１４）に貼り付ける隠蔽シール（１９）を型抜きしておくとともに、隠蔽シール（１９）に対向するＡ紙の表面の中央葉（４）に隠蔽シール（１９）が剥がせるように隠蔽シール（１９）の大きさに対応して剥離ニス（２１）を塗っておき、Ａ紙の表面の右葉（５）と中央葉（４）及びＢ紙の表面の左葉（１１）と右葉（１２）にかけて特殊変性アクリル樹脂からなる接着剤を塗布して接着した手段を提供する。
【発明の効果】
【０００９】
請求項１の手段により、擬似接着部分を剥がしてＡ紙の折線１を境とする閉じられた部分を分離すると、Ａ紙とＢ紙が返信はがきに連続した三葉のブックとなるから、拡げて見るときにスペースをとらず、また、片手でもって読むようなこともできる。したがって、取扱いが容易で、掲載する情報量も多い。なお、この分離する手段には請求項３〜６までがあり、完全接着の手段としては、請求項２に記載した手段がある。さらに、請求項６の手段によると、返信はがきの分離が容易になるし、請求項７の手段によると、ＯＣＲ等での光学的読取りに支障を来さないし、請求項８及び９の手段によると、返信はがきに記載する個人情報等を隠すことができる。
【発明を実施するための最良の形態】
【００１０】
以下、本発明の実施の形態を図面を参照して説明するが、図１は本発明の往復はがきを構成するＡ紙の表面図、図２は同じく裏面図であるが、Ａ紙（Ａ）は、一枚の紙を間に二箇所ほぼ等間隔で縦に折線１、２を入れて三枚綴りとする。そして、表面図において、左側から左葉３、中央葉４、右葉５とし、これを裏返しにした裏面図では、同じく左側から左葉６、中央葉７、右葉８とする。したがって、表面図における左葉３は裏面図では右葉８となり、右葉５は左葉６となる（中央葉４、７は変わらない）。なお、表面図における左葉３の端側と右葉５の端側には、ミシン目を境界として加工時におけるマージナルピンが挿入される孔９を設けている。
【００１１】
図３は往復はがきを構成するもう一つのＢ紙（Ｂ）の表面図、図４は裏面図であるが、Ｂ紙（Ｂ）も、Ａ紙（Ａ）と同様にほぼ中央に折線１０を入れた二枚綴りのものである。そして、表面図における左側を左葉１１、右側を右葉１２としている（裏面図では、左側が左葉１３、右側が右葉１４となる）。さらに、表面図における左葉１１と右葉１２の端側にマージナルピンの孔１５が設けられる点も同じである。
【００１２】
以上の往復はがきは次のようにして加工する。まず、Ａ紙（Ａ）の表面の右葉５とＢ紙（Ｂ）の表面の左葉１１とを完全接着材１６で全面的に完全接着してこれを返信はがきとする。この場合の完全接着とは、剥離不能の接着態様をいうのであって、感圧、感熱型の接着剤や感熱型の接着テープ（フィルム）等の完全接着材１６を用いる。次に、裏面の右葉８を折線１から谷折りして右葉８の右端部分と中央葉７の左端部分を同じく完全接着材１７でもって部分的に完全接着する。
【００１３】
なお、Ａ紙（Ａ）の裏面の右葉８の右端部分と中央葉７の左端部分を完全接着するには、上記の方法に代えて上面に接着阻害層を設けた二層の接着テープを端からはみ出した状態で貼り、端の部分を折り返して接着阻害層をブロックし、中央葉７と右葉８の端の部分のみ接着して繋いでもよい。また、これ以外のＡ紙（Ａ）の裏面の中央葉７と右葉８とは擬似接着材１８で擬似接着しておく。さらに、Ｂ紙（Ｂ）の表面の右葉１２とＡ紙（Ａ）の表面の中央葉４も擬似接着材１８で全面的に擬似接着しておく。この場合の擬似接着とは、剥離可能な接着態様をいうのであって（再接着が可能なものと不可能なものとがある）、接着阻害物質を混入した感圧、感熱型の擬似接着剤やフィルム間に擬似接着層を有する擬似接着フィルム（テープ）を用いる。
【００１４】
以上の操作により、Ａ紙（Ａ）とＢ紙（Ｂ）は、Ａ紙（Ａ）の裏面の左葉６と中央葉７を向かい合わせるようにＡ紙（Ａ）の折線２とＢ紙（Ｂ）の折線１０を谷折りして一枚の往復はがきの態様となる。なお、返信はがきの折りを確実にして体裁を上げるために、いずれかの折線２、１０をミシン目にしたり、筋押し組合せにすることがある。こうしたとしても、他方が残っているから、取扱い中に分離したりすることはない。ところで、このような往復はがきは、加工機械の送りピンをＡ紙（Ａ）とＢ紙（Ｂ）のそれぞれの孔９、１５に挿入して移送している間に所定の折り、塗布、押圧、切断等をすることで圧着加工される。
【００１５】
この往復はがきを受け取った受取人は、Ａ紙（Ａ）の折線１の部分を切断し、中の情報を読み取る。図６はこの態様を示す往復はがきの断面図であるが、このとき、返信はがきに連なってＡ紙（Ａ）とＢ紙（Ｂ）とが三葉のブック（本）となり、都合八面に情報が書き込まれたものになっている。そして、それぞれの面には所要の情報が印刷されている。すなわち、Ｂ紙（Ｂ）の裏面の左葉（１３）は往信はがきのあて名欄となり、Ａ紙（Ａ）の裏面の左葉（６）は返信はがきのあて名欄で、Ｂ紙（Ｂ）裏面の右葉（１４）は返信はがきの記入欄であり、他は情報記載欄となる。なお、本例のものは、折線１の部分に予め切断線２２を入れて切断したものである。すなわち、加工時に切断線２２を入れておき、出荷する段階ではここから切り離しておく（そうしたとしても、Ａ紙（Ａ）の裏面の中央葉７と右葉８とは擬似接着材１８で擬似接着されているから問題はない）。受け取った人はここを開き（コーナーカット等を入れておけば便利）、中の情報を読み取る。
【００１６】
図７も同様な断面図であるが、本例のものは、Ａ紙（Ａ）の裏面の中央葉７と右葉８との折返し線付近で、Ｂ紙（Ｂ）の表面の右葉１２の端面と同じ位置程度に中央葉７と右葉８と跨がってミシン目２３を入れたものである。受け取った人は、このミシン目２３を破り（コーナーカット等を入れておけば便利なのも同じ）、ここを開いて中の情報を読み取る。図８も同様な断面図であるが、本例のものは、Ａ紙（Ａ）の裏面の中央葉７と右葉８との折返し部分からかなり右葉８の中に入った部分に右葉８のみにミシン目２４を入れたものである。受け取った人は、このミシン目２４を折り曲げるようにして破り、中の情報を読み取ることになるが、ミシン目４の部分を折り曲げるようにしなければスムーズに破れないから、不用意に開封される虞が少ない。この往復はがきが製品の注文や講座の申込み等の場合、受取人は返信はがきに所定の事項を記入する。そして、従来の往復はがきと同様に折線２の部分を切断して投函することになる。
【００１７】
以上は本発明の基本的な態様であるが、目的に応じて種々の態様をとる。まず、紙の重さ（厚み）であるが、往復はがきであるから、当然に郵便規則に適合していなければならない。これによると、全体では１２ｇ以内である必要があり、Ａ紙（Ａ）とＢ紙（Ｂ）とを共に薄い紙を使用して全体重量をこれに抑えている。また、Ａ紙（Ａ）とＢ紙（Ｂ）とが重なった返信はがきは２〜６ｇである必要があるから、薄いながらもこれに適合する重さにしている。このように、Ａ紙（Ａ）とＢ紙（Ｂ）とを異なる紙質にすることにより、例えば、ＯＣＲ面とあて名面になるＢ紙（Ｂ）は上質紙にし、情報記載欄であってカラー印刷部分が多くなるＡ紙（Ａ）はマット・コート系の用紙にする等、用途に合わせてコストと品質のバランスをとることができる。
【００１８】
また、紙面のいずれかに「郵便往復はがき」である旨を表出しておかなければならないから、例えば、Ａ紙（Ａ）の表面の中央葉４の幅を右葉５の幅よりも長くしておき、中央葉４の左端の突出した部分にこの文字が見えるように印刷しておくことが考えられる。さらに、返信はがきを受け取った受取人はその裏面の右葉１４に記載された情報をＯＣＲで読み取ることるなるが、紙が薄いとこの読取りが不安定になる。そこで、向かい合うＡ紙（Ａ）の表面の右葉５の上面かＢ紙（Ｂ）の表面の左葉１１の上面に絵柄やベタ・網掛け等の印刷を施しておけば、不透明度が増して読取りが確実になる。
【００１９】
この他、返信はがきの記入欄となるＢ紙（Ｂ）の裏面の右葉１４に記入された個人情報等を隠蔽する隠蔽シール１９を設けることもある。図５にこれを示しているが、返信はがきのあて名欄となるＡ紙（Ａ）の裏面の左葉６の下部に返信はがきの記入欄となるＢ紙（Ｂ）の裏面の右葉１４に貼り付ける隠蔽シール１９を型抜きしておくとともに、隠蔽シール１９に対向するＢ紙（Ｂ）の表面の左葉１１に隠蔽シール１９が剥がせるように隠蔽シール１９の大きさに対応して予め剥離ニス２１を塗っておき、Ａ紙（Ａ）の表面の右葉５とＢ紙（Ｂ）の表面の左葉１１とに特殊変性アクリル樹脂からなる接着剤を塗布して接着しておく。これにより、隠蔽シール１９のみは剥がし取れるものの、Ａ紙（Ａ）の表面の右葉５とＢ紙（Ｂ）の表面の左葉１１の他の部分は容易に剥がれないものになり、完全接着といえるものになる。なお、上記した接着剤は、剥がし取った隠蔽シール１９が再度接着でき、かつ再度剥離できる機能を有する。この他、隠蔽シール１９となる部分に絵柄、ベタ、網掛け等の印刷を施しておけば、隠蔽シール部分も透け難くなり、隠蔽性がアップする。
【００２０】
図９も隠蔽シール１９を示す他の例であるが、本例のものは、往信はがきのあて名欄であるＢ紙（Ｂ）の裏面の左葉１３に返信はがきの記入欄となるＢ紙（Ｂ）の裏面の右葉１４に貼り付ける隠蔽シール１９を型抜きしておくとともに、隠蔽シール１９に対向するＡ紙（Ａ）の表面の中央葉４に隠蔽シール１９が剥がせるように隠蔽シール１９の大きさに対応して剥離ニス２１を予め塗っておき、Ａ紙（Ａ）の表面の右葉５と中央葉４及びＢ紙（Ｂ）の表面の左葉１１と右葉１２にかけて上記と同じ特殊変性アクリル樹脂からなる接着剤を塗布して接着しておく。本例のものは、Ａ紙（Ａ）の表面の右葉５と中央葉４及びＢ紙（Ｂ）の表面の左葉１１と右葉１２が上記の接着剤によって擬似的な完全接着となり（無理やり剥がせば剥がれるが）、情報記載欄は往信はがきのあて名欄を含む二葉のブックにしかならないが、隠蔽シール１９として剥がし取るのが往信はがきのあて名欄であることから、切り取ったために情報を消失する部分が少ないという利点がある。
【図面の簡単な説明】
【００２１】
【図１】往復はがきを構成するＡ紙の表面図である。
【図２】往復はがきを構成するＡ紙の裏面図である。
【図３】往復はがきを構成するＢ紙の表面図である。
【図４】往復はがきを構成するＢ紙の裏面図である。
【図５】Ａ紙とＢ紙を貼り合わせる状態の斜視図である。
【図６】Ａ紙を折り返す状態の断面図である。
【図７】Ａ紙を折り返す状態の断面図である。
【図８】Ａ紙を折り返す状態の断面図である。
【図９】Ａ紙とＢ紙を貼り合わせる状態の斜視図である。
【符号の説明】
【００２２】
Ａ      Ａ紙
Ｂ      Ｂ紙
１      折線
２      折線
３      Ａ紙の表面の左葉
４      Ａ紙の表面の中央葉
５      Ａ紙の表面の右葉
６      Ａ紙の裏面の左葉
７      Ａ紙の裏面の中央葉
８      Ａ紙の裏面の右葉
９      マージナルピンの孔
１０    Ｂ紙の折線
１１    Ｂ紙の表面の左葉
１２    Ｂ紙の表面の右葉
１３    Ｂ紙の裏面の左葉
１４    Ｂ紙の裏面の右葉
１５    マージナルピンの孔
１６    完全接着材
１７    完全接着材
１８    擬似接着材
１９    隠蔽シール
２１    剥離ニス
２２    切断線
２３    ミシン目
２４    ミシン目
【図１】
2008179100.tif 000003
【図２】
2008179100.tif 000004
【図３】
2008179100.tif 000005
【図４】
2008179100.tif 000006
【図５】
2008179100.tif 000007
【図６】
2008179100.tif 000008
【図７】
2008179100.tif 000009
【図８】
2008179100.tif 000010
【図９】
2008179100.tif 000011